(57)【要約】【課題】持ち易く手の擦れが少なく、手の力を刃に有効に作用させて、効率よく疲れも少なく草削りすることができ、特に高齢者や女性にとって使い易い草削りを提供するものである。【解決手段】手支え板２の先端部に下方に向けて刃４を取付け、手支え板２の先端側上部に把持部５を上方に向かって突設すると共に、手支え板２の後部側に腕１１に巻き付けるベルト６を設けて、手１０で把持部５を握った状態で、腕１１にベルト６を巻き付けて刃４の上方より力を加えながら手前に引くことにより草８を削るようにしたものである。【選択図】  図４
0003188447.tif 000002
【実用新案登録請求の範囲】
【請求項１】
手支え板の先端部に下方に向けて刃を取付け、手支え板の先端側上部に把持部を上方に向かって突設して形成され、前記把持部を手で握って、刃の上方より力を加えながら手前に引くことにより草を削るようにしたことを特徴とする草削り。
【請求項２】
手支え板の中間または後部側に腕に巻き付けるベルトを設けて、手で把持部を握った状態で、腕にベルトを巻き付けて草を削るようにしたことを特徴とする請求項１記載の草削り。
【請求項３】
手支え板に、その長手方向に沿って複数個のナットを間隔をおいて取付けると共に、把持部の下端にボルトを突設して、ここを任意のナットに螺合させて、把持部の位置を調整できるようにしたことを特徴とする請求項１または２記載の草削り。
【請求項４】
刃を手支え板の後部側に向かって湾曲させたことを特徴とする請求項１または２もしくは３記載の草削り。
【考案の詳細な説明】
【技術分野】
【０００１】
本考案は、低く伸びた草を削り取る草削りに関するものである。
【背景技術】
【０００２】
従来、５〜１０ｃｍ程度に伸びた草をしゃがんだ姿勢で削る草削りとしては、刃の上部に柄部を設け、この柄部の後端に把持部を取付けた草削りがある。この草削りは草の生え際に刃の刃先を当てて、手前に引くことにより草を削り取るものである（特許文献１）。しかしながら手で握る把持部の取付け方向と、手で引く方向が同一方向であるので滑り易く、手が擦れて力を効果的に作用できない問題があった。
【０００３】
このため把持部の端部に突起部を設けて、ここに小指部分が引っ掛かるようにした把持部（特許文献２）も開発されている。しかし何れの場合も、把持部の取付け方向と、手で引く方向が同一方向であるので、刃に有効に力が作用せず、特に高齢者や女性にとって、広い面積の草刈りは大きな負担となっていた。
【先行技術文献】
【特許文献】
【０００４】
【特許文献１】実開平６−７０５０１号公報
【特許文献２】実用新案登録第３１２６６２６号公報
【考案の概要】
【考案が解決しようとする課題】
【０００５】
本考案は上記問題を改善し、持ち易く手の擦れが少なく、手の力を刃に有効に作用させて、効率よく疲れも少なく草削りすることができ、特に高齢者や女性にとって使い易い草削りを提供するものである。
【課題を解決するための手段】
【０００６】
本考案の請求項１記載の草削りは、手支え板の先端部に下方に向けて刃を取付け、手支え板の先端側上部に把持部を上方に向かって突設して形成され、前記把持部を手で握って、刃の上方より力を加えながら手前に引くことにより草を削るようにしたことを特徴とするものである。
【０００７】
本考案の請求項２記載の草削りは、請求項１において、手支え板の中間または後部側に腕に巻き付けるベルトを設けて、手で把持部を握った状態で、腕にベルトを巻き付けて草を削るようにしたものである。
【０００８】
本考案の請求項３記載の草削りは、請求項１または２において、手支え板に、その長手方向に沿って複数個のナットを間隔をおいて取付けると共に、把持部の下端にボルトを突設して、ここを任意のナットに螺合させて、把持部の位置を調整できるようにしたことを特徴とするものである。
【０００９】
本考案の請求項４記載の草削りは、請求項１または２もしくは３において、刃を手支え板の後部側に向かって湾曲させたことを特徴とするものである。
【考案の効果】
【００１０】
本考案に係る請求項１記載の草削りによれば、手を手支え板に載せて把持部を握り、刃の上から力を加えながら手前に強く引くことにより、草の根本に大きな力が加わって簡単に草を削り取ることができる。更に腕がベルトによって手支え板に連結されて、刃と手支え板とが一体になった支え構造により手や腕を支えているので長時間作業をしても疲れない。このため高齢者や女性が広い面積の草刈りを行なっても疲労を軽減することができる。
【００１１】
また請求項２記載の草削りによれば、腕がベルトによって手支え板に連結されて、刃と手支え板が一体にＬ型になった支え構造により腕を支えているので長時間作業をしても腕の疲労を軽減することができる。
【００１２】
また請求項３記載の草削りによれば、手支え板に、その長手方向に沿って複数個のナットを間隔をおいて取付けると共に、把持部の下端にボルトを突設して、使用する人に合わせて把持部の位置を調整することができる。
【００１３】
また請求項４記載の草削りによれば、刃を手支え板の後部側に向かって湾曲させたので、草の根元に対して傾斜して刃先が当たるので、更に効率よく草削りすることができる。
【考案を実施するための最良の形態】
【００１４】
以下本考案の実施の一形態を図１ないし図４を参照して詳細に説明する。図において１は草削りを示すもので、これは木板で形成された手支え板２の先端部に下面に逆Ｌ形状の連結金具３を取付け、この下端に図３に示すように半円形状の刃４を下方に向けて接合し、手支え板２の先端側上部に木製の把持部５を上方に向かって突設し、更に手支え板２の後部側には面ファスナーで形成したベルト６を設けたものである。
【００１５】
上記構成の草削り１を使用して図４に示すように庭や畑、花壇にはえた草８を取る場合、手１０で把持部５を握った状態で、腕１１に面ファスナーで形成したベルト６を巻き付けて腕１１を手支え板２に固定する。このように草削り１を腕１１と一体にした後、かがんだ姿勢で、草８の根元に刃４の先端を当てて、刃４の上から力を加えながら手前に強く引くことにより、土と一緒に削って簡単に草８を削ることができる。また刃４を傾けて角の一部で草削りすることもできる。
【００１６】
この草削り１は、把持部５を刃４の上方に配置し、上方からも刃４に力を加えながら手前に強く引くことにより、草８の根元に大きな力が加わって切断することができる。本考案の草削り１と従来の草削りを比較すると、本考案は刃４に上方から加わる力は約１２Ｋｇ、手前に引く力は約８Ｋｇであるのに対して、従来の草削りでは、刃４に上方から加わる力は約４Ｋｇ、手前に引く力は約８Ｋｇで本考案は大きな力を加えて、手が滑ったり、手が擦れたりすることがなく効率よく草削りすることができる。
【００１７】
また腕１１がベルト６によって手支え板２に連結されて、刃４と手支え板２とが一体にＬ型になった支え構造により腕１１を支えているので長時間作業をしても腕１１が疲れない。このため高齢者や女性が広い面積の草刈りを行なっても疲労を軽減することができる。
【００１８】
図５および図６は本考案の他の実施の形態を示すもので、手支え板２の先端側に間隔をおいて２個の丸孔１２を開孔し、ここに外周に抜け止め突起１３を放射状に突設した鬼ナット１４を打ち込んで、ここに図６に示すように把持部５の下端に突設したボルト１５を螺合させたものである。これは使用する人に合わせて把持部５の位置を調整することができる。
【００１９】
図７は本考案の異なる他の実施の形態を示すもので、刃４を後方に向けて湾曲させた草削り１で、これは草８の根元に対して傾斜して刃先が当たるので、更に効率よく草削りすることができる。
【００２０】
図８は本考案の異なる他の実施の形態を示すもので、手支え板２の長さを短く形成して、手１０だけを支えるようにしたもので、農具がコンパクトになり、梱包や保管が容易である。
【００２１】
図９は本考案の異なる他の実施の形態を示すもので、刃４の刃先を波形に形成したもので、草８に当たる部分が局部的になるので、繊維の硬い草８を削るのに好適である。
【００２２】
図１０は本考案の異なる他の実施の形態を示すもので、刃４がスコップ状に形成されているもので穴を掘るのに好適である。なお刃４の形状はこれにかぎらず、熊手状など他の形状でも良い。
【００２３】
なお上記説明ではベルト６として面ファスナーを用いた場合について示したが、ワンタッチベルトを用いたものや、他の着脱自在の部品を用いたベルト６でも良い。また刃４を連結金具３を介して手支え板２に接続した場合について示したが、連結金具３を省いて刃４を直接、手支え板２に接続した構造でも良い。
【図面の簡単な説明】
【００２４】
【図１】本考案の実施の一形態による草削りの斜視図である。
【図２】図１の草削りを示す側面図である。
【図３】図１の草削りを示す正面図である。
【図４】図１の草削りを使用している状態を示す側面図である。
【図５】本考案の他の実施の形態による把持部を取り外した状態を示す平面図である。
【図６】図５の手支え板に把持部を取付けた状態を示す側面図である。
【図７】本考案の他の実施の形態による刃が湾曲した草削りを示す側面図である。
【図８】本考案の他の実施の形態による手支え板を短く形成した草削りを示す側面図である。
【図９】本考案の異なる他の実施の形態による刃先を波形状に形成した草削りを示す正面図である。
【図１０】本考案の異なる他の実施の形態による刃をスコップ形状に形成した草削りを示す正面図である。
【符号の説明】
【００２５】
１    草削り                                                
２    手支え板                                              
３    連結金具                                              
４    刃                                                    
５    把持部                                                
６    ベルト                                                
８    草                                                    
１０  手                                                    
１１  腕                                                    
１２  丸孔                                                  
１３  抜け止め突起                                          
１４  鬼ナット                                              
１５  ボルト                                                
【図１】
0003188447.tif 000003
【図２】
0003188447.tif 000004
【図３】
0003188447.tif 000005
【図４】
0003188447.tif 000006
【図５】
0003188447.tif 000007
【図６】
0003188447.tif 000008
【図７】
0003188447.tif 000009
【図８】
0003188447.tif 000010
【図９】
0003188447.tif 000011
【図１０】
0003188447.tif 000012